(57)【要約】【課題】街頭の大型ディスプレイと携帯端末を持つユーザとの間で大型ディスプレイに表示されたクイズとかアンケートに対する回答を携帯端末を利用して発信させ、親近感を抱かせるためユーザ氏名を集計結果と同時に大型ディスプレイに表示する臨場型双方向携帯情報集約システムを得る。【解決手段】大型ディスプレイに時間帯、及び他の番組と区別するためのアクセスキーをクイズやアンケートと同時に表示させ、それを見たユーザが質問回答を携帯電話を利用してユーザ氏名、アクセスキーとともに送信した回答結果の集計を、予めマスターに登録されたアクセスキーにより、受付け時間帯や先着何名様という制限カウント数がチェックされ、番組登録情報によって回答画面や結果が携帯端末に表示され、大型ディスプレイへの集計結果の表示は、ユーザ氏名を画像合成装置へデータとして渡し、ビデオ映像と合成して行う。【選択図】　　　　図１
2004126632.tif 000002
【特許請求の範囲】
【請求項１】
不特定ユーザに対して設置されたディスプレイに時間帯、及び他の番組と区別するためのアクセスキーを質問事項と同時に表示させ、
それに対して関心のあるユーザが携帯端末を利用して質問回答をアクセスキーとともに送信し、
受信した回答結果の集計を予めマスターに登録されたアクセスキーにより受付け時間帯や回答をカウントし、
登録情報によって回答画面や集計結果画面とユーザ氏名データを画像合成装置へデータとして渡し、画像合成装置で画像合成してディスプレイへ行うことを特徴とする臨場型双方向携帯情報集約システム。
【請求項２】
不特定ユーザに対して設置されたディスプレイに時間帯、及び他の番組と区別するためのアクセスキーを質問事項と同時に表示させ、
それに対して関心のあるユーザが携帯端末を利用して質問回答をアクセスキーとともに送信し、
受信した回答結果の集計を予めマスターに登録されたアクセスキーにより受付け時間帯や回答をカウントし、
登録情報によって回答画面や集計結果画面とユーザ氏名データを画像合成装置へデータとして渡し、画像合成装置で画像合成して携帯端末へ行うことを特徴とする臨場型双方向携帯情報集約システム。
【請求項３】
不特定ユーザに対して設置されたディスプレイに時間帯、及び他の番組と区別するためのアクセスキーをクーポン券発行質問事項と同時に表示させ、
それに対して関心のあるユーザが携帯端末を利用して質問回答をアクセスキーとともに送信し、
受信した回答結果の集計を予めマスターに登録されたアクセスキーにより受付け時間帯や回答をカウントし、
登録情報によってクーポン券画面とユーザ氏名データを画像合成装置へデータとして渡し、画像合成装置で画像合成して携帯端末へ行うことを特徴とする臨場型双方向携帯情報集約システム。
【請求項４】
画像合成装置に番組モニタ装置を接続し番組コードの指定によりモニタリング／シミュレーションに対する表示内容の更新を行うボタンにより番組の進行を行うことを特徴とする請求項１乃至請求項３のいずれかに記載の臨場型双方向携帯情報集約システム。
【発明の詳細な説明】
【０００１】
【発明の属する技術分野】
本発明は、街頭の大型のディスプレイに表示された質問とかアンケートに対する回答を携帯端末を利用して集計集約する臨場型双方向携帯情報集約システムに関する。さらには大型のディスプレイと対話しているように見せて親近感を抱かせるよう受付け時間帯や回答カウントをチェックし回答者氏名データを大型のディスプレイに表示しながら双方向に情報をやりとりするシステムである。
【０００２】
【従来の技術】
従来の一般的なアンケート集約システムは、例えばテレビ放送を見てそれに答えるなどユーザ側からシステム側への一方通行であり、集約された結果はリアルタイムでは見えることが出来なくて、しかも個々人の名前が反映されたりはしなく臨場感、対話感に乏しかった。
【０００３】
【発明が解決しようとする課題】
従来の臨場型一方向携帯情報集約システムは、以上のような構成となっていたため、集約された結果はリアルタイムでは見えることが出来なくて個々人の名前が反映されたりはしなく臨場感、対話感に乏しかった。
【０００４】
本発明は上記のような不具合点を解消するためになされたもので、個々人の名前が集約された結果とともにリアルタイムに反映され臨場感、対話感にあふれる臨場型双方向携帯情報集約システムを得ることを目的とする。
【０００５】
【課題を解決するための手段】
請求項１の臨場型双方向携帯情報集約システムは、不特定ユーザに対して設置されたディスプレイに時間帯、及び他の番組と区別するためのアクセスキーを質問事項と同時に表示させ、
それに対して関心のあるユーザが携帯端末を利用して質問回答をアクセスキーとともに送信し、
受信した回答結果の集計を予めマスターに登録されたアクセスキーにより受付け時間帯や回答をカウントし、
登録情報によって回答画面や集計結果画面とユーザ氏名データを画像合成装置へデータとして渡し、画像合成装置で画像合成してディスプレイへ行う。
【０００６】
請求項２の臨場型双方向携帯情報集約システムは、不特定ユーザに対して設置されたディスプレイに時間帯、及び他の番組と区別するためのアクセスキーを質問事項と同時に表示させ、
それに対して関心のあるユーザが携帯端末を利用して質問回答をアクセスキーとともに送信し、
受信した回答結果の集計を予めマスターに登録されたアクセスキーにより受付け時間帯や回答をカウントし、
登録情報によって回答画面や集計結果画面とユーザ氏名データを画像合成装置へデータとして渡し、画像合成装置で画像合成して携帯端末へ行う。
【０００７】
請求項３の臨場型双方向携帯情報集約システムは、不特定ユーザに対して設置されたディスプレイに時間帯、及び他の番組と区別するためのアクセスキーをクーポン券発行質問事項と同時に表示させ、
それに対して関心のあるユーザが携帯端末を利用して質問回答をアクセスキーとともに送信し、
受信した回答結果の集計を予めマスターに登録されたアクセスキーにより受付け時間帯や回答をカウントし、
登録情報によってクーポン券画面とユーザ氏名データを画像合成装置へデータとして渡し、画像合成装置で画像合成して携帯端末へ行う。
【０００８】
請求項４の臨場型双方向携帯情報集約システムは、画像合成装置に番組モニタ装置を接続し番組コードの指定によりモニタリング／シミュレーションに対する表示内容の更新を行うボタンにより番組の進行を行う。
【０００９】
【発明の実施の形態】
以下、本発明の臨場型双方向携帯情報集約システムについて説明する。
【００１０】
図１は本発明の一実施形態にかかわる臨場型双方向携帯情報集約システムの全体構成図である。図２は本発明の一実施形態にかかわる臨場型双方向携帯情報集約システムのシステム機器構成図である。図１、図２において、１は例えば街頭等の出来るだけ多数のユーザに見える場所に設置されて、番組と例えばｉモード（エヌ・ティ・ティ・ドコモ株式会社の商標）又はインターネットのＵＲＬ、アクセスキーが表示された大型のディスプレイ、２はユーザが番組に対する回答、アンケート、伝言申込等を行う携帯電話、ＰＨＳ等の携帯端末、３はインターネット網、４は回答、アンケート、伝言申込等をインターネット網３を通じて送受信するＷＷＷサーバー、５は番組情報・メール名簿を管理するデータベースサーバー、６はディスプレイ１の状態をモニタできる番組モニタ装置、７はビデオ再生機、８は番組情報・メール名簿を合成する画像合成装置、９はタイマー、１０は番組を大型のディスプレイ１に表示する内容をタイマー９により切り替える画像切替装置、１１はメールサーバー、１２はルーターである。
【００１１】
図１、図２において、ユーザは街頭のディスプレイ１のアンケート、クイズ、伝言等を見て興味がわけばこれらに対する回答（又は解答）、申し込み、氏名等を手持ちの携帯端末２にてディスプレイ１に表示されている番組中のＵＲＬ、アクセスキーを同時に発信する。これをＷＷＷサーバー４が受信し番組情報・メール名簿を管理するデータベースサーバー５へ転送する。ここでアンケート集計、得点集計、伝言受付処理を行う。その結果を画像合成装置８、画像切替装置１０を経由して大型のディスプレイ１へユーザ氏名と共に表示する。特に例えば結婚記念日のパートナーに対する愛のメッセージなどを伝言するなどユーザ、番組提供者一体となって番組を盛り上げるなどできるこのリアルタイムな応答性によりユーザの参加意欲を喚起し、番組提供者の有効な広告手段が達成される。アクセスキーが実質読みとることの出来る範囲（ディスプレイ１の大きさ、設置台数にも依るが通常半径数十ｍ以内）の地域限定、地元密着、スポット的な広告手段として、あるいは、日時限定により広告の効果を全国展開の前に調査してみたい等が、広告後の反響としてリアルタイムに計れる手段として効果的である。
【００１２】
また、画像合成装置８に番組モニタ装置６を接続し番組コードの指定によりモニタリング／シミュレーションに対する表示内容の更新を行うボタンにより番組の進行を行うようにすれば、簡単な構成で番組のモニタリングができるので、回答状況を見ながら、例えば回答状況が遅ければ通常はタイマー９による番組進行をリアルタイムで遅らすなどの運用が出来る。又事前に重要な番組についてデータに一切の影響を与えずに番組のシミュレーションが出来るので、運用管理者の予行演習が出来る。
【００１３】
また、クイズの正解者に発行されるクーポン券等内容によっては発信者であるユーザの携帯端末２へ表示する。ユーザは例えばこのディスプレイ１の画面に表示された番組提供者のところへ行って画面を見せて割引で商品が買えたりするので、番組提供者は販売促進のためのツールとして活用する。つまり、ここで言うクーポン券とは例えば割引クーポン券とか人数制限招待クーポン券とかのユーザに対し、何らかのメリットのあるクーポン券を指す。
【００１４】
以下、図３〜図１３において、本発明の特徴的な部分である各機能の動作を処理フロー図により説明する。
【００１５】
図３はクーポン券発行処理フロー図である。ＣＭ（広告）映像に時間帯、地域等を区別するアクセスキーを画像合成装置８で合成しディスプレイ１に表示する（Ｓ３０１）。図１１に示すサブルーチンの参加受付処理を実行する（Ｓ３０２）。図１３に示すサブルーチンのクーポン編集処理を実行する（Ｓ３０２）。
【００１６】
図４はアンケート集計処理フロー図である。番組映像に時間帯、地域等を区別するアクセスキーを画像合成装置８で合成しディスプレイ１に表示する（Ｓ４０１）。アンケート問題を画像合成装置８で合成しディスプレイ１に表示する（Ｓ４０２）。番組時間内で次の問題表示可能か？（Ｓ４０３）。Ｓ４０３についてＹｅｓならばＳ４０２に戻る。Ｓ４０３についてＮｏならば図１１に示すサブルーチンの参加受付処理を実行する（Ｓ４０４）。問題テーブルを参照し、問題数分のタイトルと回答欄を作成して、ディスプレイ１に表示する（Ｓ４０５）。回答を入力して携帯端末２から送信する（Ｓ４０６）。不正アクセスか？（Ｓ４０７）。必須項目の入力漏れは？（Ｓ４０９）。回答が有効数値外か？（Ｓ４０９）。図１３に示すサブルーチンのクーポン編集処理を実行する（Ｓ４１０）。Ｓ４０７〜Ｓ４０９についてＹｅｓならばエラーメッセージを携帯端末２に表示する（Ｓ４１１）。
【００１７】
図５は正解クイズ型処理フロー図である。番組映像に時間帯、地域等を区別するアクセスキーを画像合成装置８で合成しディスプレイ１に表示する（Ｓ５０１）。アンケート問題を画像合成装置８で合成しディスプレイ１に表示する（Ｓ５０２）。番組時間内で次の問題表示可能か？（Ｓ５０３）。Ｓ５０３についてＹｅｓならばＳ４０２に戻る。Ｓ５０３についてＮｏならば図１１に示すサブルーチンの参加受付処理を実行する（Ｓ５０４）。問題テーブルを参照し、問題数分の解答欄を作成して、ディスプレイ１に表示する（Ｓ５０５）。解答を入力して携帯端末２から送信する（Ｓ５０６）。不正アクセスか？（Ｓ５０７）。解答が不正解か？（Ｓ５０８）。Ｓ５０７〜Ｓ５０８についてＮｏつまり全問正解ならば図１３に示すサブルーチンのクーポン編集処理を実行する（Ｓ５０９）。Ｓ５０７〜Ｓ５０８についてＹｅｓならばエラーメッセージを携帯端末２に表示する（Ｓ５１０）。
【００１８】
図６は勝ち抜きクイズ型処理フロー図である。番組映像に時間帯、地域等を区別するアクセスキーを画像合成装置８で合成しディスプレイ１に表示する（Ｓ６０１）。タイマー起動がかかったか？（Ｓ６０２）。上記映像にクイズ問題を画像合成装置８で合成しディスプレイ１に表示する（Ｓ６０３）。番組テーブルの問題表示番号を更新する（Ｓ６０４）。最終問題表示終了したか？（Ｓ６０５）。参加者テーブルを参照して、正解者氏名を先着順位で、映像合成してディスプレイ１に表示する（Ｓ６０６）。Ｓ６０５、ｓ６０６についてＮｏならば、Ｓ６０２に戻る。
【００１９】
図７はホームページ処理フロー図である。図１１に示すサブルーチンの参加受付処理の実行（Ｓ７０１）。番組テーブルと問題テーブルを参照し、問題番号と解答欄を作成してディスプレイ１に表示する（Ｓ７０２）。解答を入力して携帯端末２から送信する（Ｓ７０３）。不正アクセスか？（Ｓ７０４）。表示問題と入力された解答が等しくない（Ｓ７０５）。解答が不正解か？（Ｓ７０６）。先着順カウントを更新する（Ｓ７０７）。先着順カウント制限値をオーバーした（Ｓ７０８）。Ｓ７１１についてＮｏならば、参加者テーブルの問題番号と正解者フラグを更新する（Ｓ７０９）。Ｓ７０４〜Ｓ７０６、Ｓ７０８についてＹｅｓならば、エラーメッセージを携帯端末２に表示する（Ｓ７１０）。問題が続く（Ｓ７１１）。Ｓ７１１についてＹｅｓならば、Ｓ７０２に戻る。Ｓ７１１についてＮｏならば、図１３に示すサブルーチンのクーポン編集処理の処理実行（Ｓ７１２）。
【００２０】
図８は伝言板処理フロー図である。ホームページのＵＲＬを入力（Ｓ８０１）。接続機種を判定して、トップページを表示する（Ｓ８０２）。トップページより伝言申し込みを選択する（Ｓ８０３）。申し込み手順方法の説明画面の表示（Ｓ８０４）。申し込みボタンを押す（Ｓ８０５）。コントロールテーブルを参照して、予約可能月を編集し「伝言希望日」画面を表示（Ｓ８０６）。希望日を入力して「次へ」ボタンを押す（Ｓ８０７）。番組テーブルに、希望日に該当する「伝言板」番組があるか検索する（Ｓ８０８）。該当番組なし（Ｓ８０９）。該当番組の時間帯を一覧表示（Ｓ８１０）。Ｓ８０９についてＹｅｓならば、エラーメッセージを携帯端末２に表示する（Ｓ８１１）。希望する時間帯を選択する（Ｓ８１２）。
【００２１】
図９、図１０は続きのホームページ処理フロー図である。メッセージ入力画面を携帯端末２に表示する（Ｓ８１３）。初参加か？（Ｓ８１４）。初参加ならば、全項目を入力して、「送信」ボタンを押す（Ｓ８１５）。２回目以降ならば、メールアドレス、自分の名前、相手の名前、メッセージを入力して、「送信」ボタンを押す（Ｓ８１６）。相手の名前、メッセージが未入力か？（Ｓ８１７）。メッセージの文字数が制限以上か？（Ｓ８１８）。図１２に示すサブルーチンの参加受付項目チェック処理を実行する（Ｓ８１９）。Ｓ８１７、Ｓ８１８についてＹｅｓならば、エラーメッセージを携帯端末２に表示する（Ｓ８２０）。「仮予約」完了画面を表示する（Ｓ８２１）。伝言管理者宛にメールを送信する（Ｓ８２２）。メールを確認する（Ｓ８２３）。伝言受付処理プログラムにてメッセージ内容を確認する（Ｓ８２４）。不具合があるか？（Ｓ８２５）。不具合がなければ、「確認通知」ボタンを押すと規定のメールが申込者に送信される（Ｓ８２６）。申込者がメールを確認し、確認メールを伝言管理者へ返信する（Ｓ８２７）。返信メールを伝言管理者が確認し、伝言受付処理プログラムにて「許可」ボタンを押す。許可ボタンを押下により、参加者テーブルに許可フラグが立てられる（Ｓ８２８）。番組スケジュールに基き、参加者テーブルを参照し、許可フラグの立っているメッセージを指定時間、映像合成して表示する（Ｓ８２９）。Ｓ８２５において、不具合があれば、拒否／保留理由メッセージを指定し、「拒否通知」ボタンを押すと規定のメールが申込者に送信される（Ｓ８３０）。
【００２２】
図１１はサブルーチンの参加受付処理フロー図である。ホームページのＵＲＬを携帯端末２から入力する（Ｓ１１０１）。接続機種を判定して、「トップページ」を表示する（Ｓ１１０２。トップページより、「番組参加」を選択する（Ｓ１１０３）。番組参加方法の説明画面「番組参加」の表示（Ｓ１１０４）。「参加」ボタンを押す（Ｓ１１０５）。「ようこそ」画面を表示（Ｓ１１０６）。初参加か？（Ｓ１１０７）。初参加ならば、全項目を入力して「送信」ボタンを押す（Ｓ１１０８）。２回目以降ならば、アクセスキー、メールアドレスを入力して「送信」ボタンを押す（Ｓ１１０９）。図１２に示すサブルーチンの参加受付項目チェック処理を実行する（Ｓ１１１０）。エラーがあるか？（Ｓ１１１１）。エラーがなければ参加者テーブルに追加する（Ｓ１１１２）。エラーがあればメインルーチンへ戻る（Ｓ１１１３）。
【００２３】
図１２はサブルーチンの参加受付項目チェック処理フロー図である。アクセスキーで番組テーブルを参照する（Ｓ１２０１）。テーブル未登録か？（Ｓ１２０２）。現在の時刻が番組有効時間外か？（Ｓ１２０３）。端末制限がされていて、制限外の端末か？（Ｓ１２０４）。メールアドレス未入力か？（Ｓ１２０５）。メールアドレスでメール名簿テーブルを参照する（Ｓ１２０６）。テーブルに登録済みか？（Ｓ１２０７）。名前、生年月日、郵便番号未入力か？（Ｓ１２０８）。番組テーブルの参加者カウントを更新する（Ｓ１２０９）。参加者カウント＞制限値か？（Ｓ１２１０）。まだなら戻る（Ｓ１２１１）。Ｓ１２０２〜Ｓ１２０５、Ｓ１２０８、Ｓ１２１０についてＹｅｓならば、エラーメッセージを携帯端末２に表示する（Ｓ１２１２）。
【００２４】
図１３はサブルーチンのクーポン券編集処理フロー図である。番組コードでクーポンテーブルを参照する（Ｓ１３０１）。提供先名称を一覧表示する（Ｓ１３０２）。希望する提供先名称を選択する（Ｓ１３０３）。クーポンテーブルの発行カウントを更新する（Ｓ１３０４）。発行カウント＞制限値か？（Ｓ１３０５）。静的ページか？（Ｓ１３０６）。Ｓ１３０５についてＹｅｓならば、エラーメッセージを携帯端末２に表示する（Ｓ１３０７）。クーポンテーブルの内容を絹集して表示する（Ｓ１３０８）。Ｓ１３０６についてＹｅｓならば、指定の静的ページを表示する（Ｓ１３０９）。
【００２５】
以上の各実施の形態において典型的な例を示したが、これらに限定することなく同一の効果を発揮する構成に置き換えても良いことは言うまでもない。例えば画像合成装置をビデオ再生装置からコンピュータグラフィックス装置に置き換えても同様の効果を発揮する。
【００２６】
【発明の効果】
以上のように請求項１の発明によれば、不特定ユーザに対して設置されたディスプレイに時間帯、及び他の番組と区別するためのアクセスキーを質問事項と同時に表示させ、
それに対して関心のあるユーザが携帯端末を利用して質問回答をアクセスキーとともに送信し、
受信した回答結果の集計を予めマスターに登録されたアクセスキーにより受付け時間帯や回答をカウントし、
登録情報によって回答画面や集計結果画面とユーザ氏名データを画像合成装置へデータとして渡し、画像合成装置８で画像合成してディスプレイへ行うので、簡単な構成でディスプレイのアクセスキーが見える特定エリアのユーザの参加意欲を高めた質問回答、集計結果のユーザへの提示ができる臨場型双方向携帯情報集約システムが得られる。
【００２７】
また、請求項２の発明によれば、不特定ユーザに対して設置されたディスプレイに時間帯、及び他の番組と区別するためのアクセスキーを質問事項と同時に表示させ、
それに対して関心のあるユーザが携帯端末を利用して質問回答をアクセスキーとともに送信し、
受信した回答結果の集計を予めマスターに登録されたアクセスキーにより受付け時間帯や回答をカウントし、
登録情報によって回答画面や集計結果画面とユーザ氏名データを画像合成装置８へデータとして渡し、画像合成装置で画像合成して携帯端末へ行うので、簡単な構成でディスプレイのアクセスキーが見える特定エリアのユーザの参加意欲を高めた質問回答、集計結果のユーザへの提示ができる臨場型双方向携帯情報集約システムが得られる。
【００２８】
また、請求項３の発明によれば、不特定ユーザに対して設置されたディスプレイに時間帯、及び他の番組と区別するためのアクセスキーをクーポン券発行質問事項と同時に表示させ、
それに対して関心のあるユーザが携帯端末を利用して質問回答をアクセスキーとともに送信し、
受信した回答結果の集計を予めマスターに登録されたアクセスキーにより受付け時間帯や回答をカウントし、
登録情報によってクーポン券画面とユーザ氏名データを画像合成装置へデータとして渡し、画像合成装置で画像合成して携帯端末へ行うので、簡単な構成でディスプレイのアクセスキーが見える特定エリアのユーザの参加意欲を高めた、クーポン券の発行提示ができる臨場型双方向携帯情報集約システムが得られる。
【００２９】
また、請求項４の発明によれば、画像合成装置に番組モニタ装置を接続し番組コードの指定によりモニタリング／シミュレーションに対する表示内容の更新を行うボタンにより番組の進行を行うので、簡単な構成で番組のモニタリングによる進行のリアルタイムの早める、遅らすなどの管理及び又はデータに一切の影響を与えずに番組のシミュレーションが出来るので予行演習が出来る臨場型双方向携帯情報集約システムが得られる。
【図面の簡単な説明】
【図１】本発明による臨場型双方向携帯情報集約システム全体構成図である。
【図２】本発明による臨場型双方向携帯情報集約システムのシステム機器構成図である。
【図３】本発明によるクーポン券発行処理フロー図である。
【図４】本発明によるアンケート集計処理フロー図である。
【図５】本発明による正解クイズ型処理フロー図である。
【図６】本発明による勝ち抜きクイズ型処理フロー図である。
【図７】本発明によるホームページ処理フロー図である。
【図８】本発明による伝言板処理フロー図である。
【図９】本発明による続きの伝言板処理フロー図である。
【図１０】本発明による続きの伝言板処理フロー図である。
【図１１】本発明による参加受付処理フロー図である。
【図１２】本発明による参加受付項目チェック処理フロー図である。
【図１３】本発明によるクーポン券編集処理フロー図である。
【符号の説明】
１　ディスプレイ
２　携帯端末
３　インターネット網
４　ＷＷＷサーバー
５　データベースサーバー
６　番組モニタ装置
７　ビデオ再生機
８　画像合成装置
９　タイマー
１０　画像切替装置
１１　メールサーバー
１２　ルーター
【図１】
2004126632.tif 000003
【図２】
2004126632.tif 000004
【図３】
2004126632.tif 000005
【図４】
2004126632.tif 000006
【図５】
2004126632.tif 000007
【図６】
2004126632.tif 000008
【図７】
2004126632.tif 000009
【図８】
2004126632.tif 000010
【図９】
2004126632.tif 000011
【図１０】
2004126632.tif 000012
【図１１】
2004126632.tif 000013
【図１２】
2004126632.tif 000014
【図１３】
2004126632.tif 000015